(57)【要約】【課題】限定加入者グループ（ＣＳＧ）セルは、無線送信／受信ユニット（ＷＴＲＵ）が最初に接続されている無線ネットワークコントローラ（ＲＮＣ）またはｅＮＢの近傍にある２つの異なるＣＳＧセルが同じＰＣＩを利用しているときの、物理レイヤセル識別子（ｐｈｙｓｉｃａｌ  ｌａｙｅｒ  ｃｅｌｌ  ｉｄｅｎｔｉｔｙ）（ＰＣＩ）の混乱の影響を受けやすい。【解決手段】ＣＳＧセルとハイブリッドセルとに対してインバウンドモビリティを提供するための方法および装置が、説明される。ＷＴＲＵは、セルグローバル識別情報ＣＧＩと物理セル識別情報ＰＣＩとを含む、隣接限定加入者グループＣＳＧの第１の組のシステム情報を読み取る（７０５）。次いで、タイマは、開始される（７１５）。システム情報は、前記タイマの満了（７２０）の後に再読み取りされる（７２５）。ＷＴＲＵは、第１の組の情報と第２の組の情報とが同じである場合（７３０）に、ＣＳＧセルのＣＧＩをあいまい性なく識別している（７３５）。【選択図】図７
2014003691.tif 000002
【特許請求の範囲】
【請求項１】
無線送信／受信ユニット（ＷＴＲＵ）において実施される方法であって、前記方法は、
セルグローバル識別情報（ＣＧＩ）と物理セル識別情報（ＰＣＩ）とを含む、隣接限定加入者グループ（ＣＳＧ）セルの第１の組のシステム情報を読み取るステップと、
前記第１の組のシステム情報を記憶するステップと、
前記第１の組のシステム情報を読み取って記憶することに応答して、タイマを開始するステップと、
前記タイマが満了したことを条件に、前記隣接ＣＳＧセルの第２の組のシステム情報を読み取るステップと、
前記第２の組のシステム情報が、前記第１の組のシステム情報と同じであることを条件に、前記隣接ＣＳＧセルの前記ＣＧＩを識別するステップと
を備えたことを特徴とする方法。
【請求項２】
ＰＣＩの混乱が解決されていることを示すメッセージをネットワークに対して送信するステップをさらに備えたことを特徴とする請求項１に記載の方法。
【請求項３】
前記メッセージは、前記隣接ＣＳＧセルの前記ＰＣＩを含むことを特徴とする請求項２に記載の方法。
【発明の詳細な説明】
【技術分野】
【０００１】
本出願は、無線通信に関する。
【背景技術】
【０００２】
関連出願の相互参照
【０００３】
本出願は、２００９年４月１４日に出願された米国特許仮出願第６１／１６９，１９０号、２００９年６月１０日に出願された米国特許仮出願第６１／１８５，７９３号、２００９年６月１９日に出願された米国特許仮出願第６１／２１８，８２０号、２００９年６月２５日に出願された米国特許仮出願第６１／２２０，２２６号、２００９年１０月２７日に出願された米国特許仮出願第６１／２５５，２５１号の利益を主張するものであり、これらのすべては、本明細書において完全に説明されているかのように、参照によって本明細書に組み込まれる。
【０００４】
ホームノードＢ（ｈｏｍｅ  Ｎｏｄｅ−Ｂ）（ＨＮＢ）または拡張ホームノードＢ（ｈｏｍｅ  ｅｖｏｌｖｅｄ  Ｎｏｄｅ−Ｂ）（ＨｅＮＢ）（以降では一括してＨＮＢと称される）を用いた動作に対する基本サポートが、広帯域符号分割多元接続（ＷＣＤＭＡ）（登録商標）、ロングタームエボリューション（ＬＴＥ）、および他のセルラ規格についての第３世代パートナーシッププロジェクト（３ＧＰＰ）仕様のリリース８に導入されている。ＨＮＢは、無線ローカルエリアネットワーク（ＷＬＡＮ）アクセスポイント（ＡＰ）と同様なものであることが意図され、非常に小さなサービスエリア（例えば、家庭または小規模オフィス）にわたってユーザに対してセルラサービスに対するアクセスを可能にするように設計されることになる。これは、セルラネットワークが展開されていない、またはレガシー無線アクセス技術（ｌｅｇａｃｙ  ｒａｄｉｏ  ａｃｃｅｓｓ  ｔｅｃｈｎｏｌｏｇｙ）（ＲＡＴ）のカバレッジが存在するエリアにおいて、またセルラカバレッジが、無線に関連する理由（例えば、地下にある地下鉄またはショッピングモール）で弱い、または存在していない可能性があるエリアにおいて有用なものとなり得る。加入者（例えば、個人または組織）は、そのようなサービスが望ましいエリアにわたってＨＮＢを展開することができる。
【０００５】
ＨＮＢは、限定加入者グループ（ｃｌｏｓｅｄ  ｓｕｂｓｃｒｉｂｅｒ  ｇｒｏｕｐ）（ＣＳＧ）セルまたはハイブリッドセルとして展開されることが可能である。ＣＳＧセルは、ＣＳＧのメンバだけアクセス可能である。ハイブリッドセルは、任意の無線送信／受信ユニット（ＷＴＲＵ）からアクセスすることができるが、ＣＳＧのメンバに対して、より良い、または特権のあるサービスまたはサービス品質（ｑｕａｌｉｔｙ  ｏｆ  ｓｅｒｖｉｃｅ）（ＱｏＳ）を提供することができる。
【０００６】
図１は、無線通信システム１００における従来のＨｅＮＢ展開の一例を示す。無線通信システム１００は、ＬＴＥマクロセル１０５、３ＧＰＰシステムセル１１０、より上位のネットワークノード（例えば、ゲートウェイ）１１５、および／またはモビリティ管理エンティティ（ＭＭＥ）／サービング汎用パケット無線サービス（ｇｅｎｅｒａｌ  ｐａｃｋｅｔ  ｒａｄｉｏ  ｓｅｒｖｉｃｅ）（ＧＰＲＳ）サポートノード（ＳＧＳＮ）１２０を含む。より上位のネットワークノード１１５が、いくつかのＨｅＮＢ１２５Ａ、１２５Ｂ、および１２５Ｃの動作を調整する役割を担う。あるいは、ＭＭＥ／ＳＧＳＮ１２０が、ＨｅＮＢ１２５Ａ、１２５Ｂ、および１２５Ｃの動作を調整する役割を担うことができる。ＭＭＥは、３Ｇ／２Ｇ  ＳＧＳＮのＬＴＥと同等のものである。ＬＴＥマクロセル１０５と３ＧＰＰシステム１１０（例えば、モバイル通信（ＧＳＭ）（登録商標）用のＷＣＤＭＡ／グローバルシステム）との関係は、これらの２つの技術のカバレッジが重なり合うエリアが存在し得ることである。カバレッジにおけるこの重なり合いは、ＧＳＭ技術とＷＣＤＭＡ技術の同時カバレッジと同様である。より上位のネットワークノード１１５は、ＭＭＥ／ＳＧＳＮ１２０とインターフェースするゲートウェイ機能である可能性が高い。ゲートウェイとして、より上位のネットワークノード１１５の役割は、いくつかの小さなホームセルをサポートしながら、ＭＭＥ／ＳＧＳＮ１２０に向かって単一のマクロセルとして働くこととすることができる。
【０００７】
図２は、ＷＴＲＵ２０５と、サービングＣＳＧセル２１０と、隣接ＣＳＧセル２１５とを含むＬＴＥ無線通信システム２００を示す。ＬＴＥ無線通信システム２００においてＣＳＧセルに対するインバウンドハンドオーバ（ｉｎｂｏｕｎｄ  ｈａｎｄｏｖｅｒ）を完了するために、ＷＴＲＵ２０５は、ＣＳＧセルを測定し、それをネットワークに報告する必要がある。しかしながら、ＣＳＧセルは、ＷＴＲＵが最初に接続されている無線ネットワークコントローラ（ＲＮＣ）またはｅＮＢの近傍にある２つの異なるＣＳＧセルが同じＰＣＩを利用しているときの、物理レイヤセル識別子（ｐｈｙｓｉｃａｌ  ｌａｙｅｒ  ｃｅｌｌ  ｉｄｅｎｔｉｔｙ）（ＰＣＩ）の混乱の影響を受けやすい。ＰＣＩの混乱は、ＷＴＲＵが、（例えば、ハイブリッドセル）のメンバでないＣＳＧセルに対してハンドオーバする必要がある場合にも存在することがある。提案された解決法は、ＷＴＲＵがＣＳＧセルグローバル識別情報（ＣＳＧ  ｃｅｌｌ  ｇｌｏｂａｌ  ｉｄｅｎｔｉｔｙ）（ＣＧＩ）をネットワークに対して報告することであった。あるいは、別の提案された解決法は、ネットワークが、ＰＣＩの混乱それ自体を解決し（すなわち、ＰＣＩをＣＧＩに対してマッピングし）、次いで必要に応じて、ハンドオーバが行われるときに、ＷＴＲＵにＣＧＩを報告するように要求することである。
【発明の概要】
【発明が解決しようとする課題】
【０００８】
しかし、ＰＣＩの混乱を解決するための信頼できる方法および装置が、依然として望まれている。
【課題を解決するための手段】
【０００９】
ＣＳＧセルおよびハイブリッドセルに対してインバウンドモビリティを提供するための方法および装置が、説明される。ＷＴＲＵは、隣接セルのＣＧＩを読み取り、それをＣＳＧセルのネットワークに対して報告する。次いで、ネットワークは、ＣＳＧセルのＰＣＩをＣＧＩに対してマッピングし、必要に応じて、ＷＴＲＵにハンドオーバにあるＣＧＩを読み取るように要求する。
【図面の簡単な説明】
【００１０】
より詳細な理解は、添付図面と併せて、例として与えられた以下の説明から得ることができる。
【００１１】
【図１】無線通信システムにおける従来のＨｅＮＢ展開の一例を示す図である。
【図２】一実施形態によるＬＴＥ無線通信システムを示す図である。
【図３】ＬＴＥ無線通信システム／アクセスネットワークを示す図である。
【図４】図３に示されるＬＴＥ無線通信システムの一例を示す図である。
【図５】隣接ＣＳＧセルにおけるＳＩを測定すること、およびＳＩをネットワークに対して報告することのＷＴＲＵベースの方法を示す図である。
【図６】ＣＧＩについての隣接セルのＳＩを読み取るＷＴＲＵベースの手順を示すブロック図である。
【図７】一実施形態によるＰＣＩからＣＧＩに対するマッピングについての有効性を判定する方法についての流れ図である。
【図８】別の実施形態によるＰＣＩからＣＧＩに対するマッピングについての有効性を判定する方法についてのブロック図である。
【図９】ＣＧＩをソースセルに対して報告するための手順を示す図である。
【図１０】ソースセルからギャップを要求するための手順を示す図である。
【図１１】ＷＴＲＵが、隣接ＣＳＧセルのＳＩを読み取ること、およびＷＴＲＵにおいて受信リソースを割り付けることを示す図である。
【図１２】セルブロードキャストを受信し、隣接ＣＳＧセルを読み取るＷＴＲＵのブロック図の一例を示す図である。
【発明を実施するための形態】
【００１２】
以降で言及されるときに、専門用語「無線送信／受信ユニット（ＷＴＲＵ）」は、それだけには限定されないが、ユーザ装置（ｕｓｅｒ  ｅｑｕｉｐｍｅｎｔ）（ＵＥ）、移動局、固定またはモバイルの加入者ユニット、ページャ、セルラ電話、携帯型個人情報端末（ｐｅｒｓｏｎａｌ  ｄｉｇｉｔａｌ  ａｓｓｉｓｔａｎｔ）（ＰＤＡ）、コンピュータ、または無線環境において動作することができる他の任意のタイプのデバイスを含む。
【００１３】
以降で言及されるときに、専門用語「拡張ノードＢ（ｅＮＢ）」は、それだけには限定されないが、基地局、サイトコントローラ、アクセスポイント（ＡＰ）、または無線環境において動作することができる他の任意のタイプのインターフェースするデバイスを含む。
【００１４】
以下の実施形態において、専門用語「測定報告」は、無線リソース制御（ＲＲＣ）メッセージを意味するように使用されることが可能である。さらに、専門用語「ＣＳＧ識別情報」または「ハイブリッドセルもしくはＣＳＧセルの識別情報」は、ＣＧＩ（ＣＳＧ識別子）を意味することができ、またはより一般的には、サービングセルと、ＣＳＧセルまたはハイブリッドセルとの間のタイミング差など、ネットワークがセルを識別する助けをすることができる、ＣＳＧセルまたはハイブリッドセルについて行われる任意の測定結果を意味することができる。
【００１５】
図３は、拡張ユニバーサル地上波無線アクセスネットワーク（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）（Ｅ−ＵＴＲＡＮ）３０５を含むロングタームエボリューション（ＬＴＥ）無線通信システム／アクセスネットワーク３００を示す。Ｅ−ＵＴＲＡＮ３０５は、いくつかの拡張ノードＢ、（ｅＮＢ）３２０とホームｅＮｏｄｅＢ（ＨｅＮＢ）３６０とを含む。ＷＴＲＵ３１０は、ｅＮＢ３２０およびＨ（ｅ）ＮＢ３６０と通信する。ｅＮＢ３２０は、Ｘ２インターフェースを使用して互いにインターフェースする。ｅＮＢ３２０のおのおのは、Ｓ１インターフェースを介してモビリティ管理エンティティ（ＭＭＥ）／サービングゲートウェイ（Ｓ−ＧＷ）３３０とインターフェースする。ＨｅＮＢ３６０はまた、Ｓ１インターフェースを介してＨｅＮＢゲートウェイ（ＨｅＮＢ  ＧＷ）３７０に接続される。ＨｅＮＢ３６０とＨｅＮＢ  ＧＷ３７０とは、Ｓ１インターフェースを介してＭＭＥ／Ｓ−ＧＷ３３０に接続する。ＨｅＮＢ  ＧＷ３７０は、ＭＭＥ／Ｓ−ＧＷ３３０に対してｅＮＢ３２０として見える。ＨｅＮＢ  ＧＷ３７０は、ＨｅＮＢ３６０に対してＭＭＥ／Ｓ−ＧＷ３３０として見える。
【００１６】
単一のＷＴＲＵ３１０と、３つのｅＮＢ３２０と、３つのＨｅＮＢ３６０とが、図３において示されているが、無線デバイスと有線デバイスとの任意の組合せが、無線通信システム／アクセスネットワーク３００の中に含まれ得ることが、明らかなはずである。
【００１７】
図４は、ＷＴＲＵ３１０と、ｅＮＢ３２０と、ＭＭＥ／Ｓ−ＧＷ３３０とを含むＬＴＥ無線通信システム４００の一例を示す。図４に示されるように、ＷＴＲＵ３１０と、ｅＮＢ３２０と、ＭＭＥ／Ｓ−ＧＷ３３０とは、ＣＳＧセルおよびハイブリッドセルに対するインバウンドモビリティについてのＰＣＩの混乱を解決する方法を実行するように構成されている。
【００１８】
典型的なＷＴＲＵに見出すことができるコンポーネントに加えて、ＷＴＲＵ３１０は、任意選択のリンクされたメモリ４２２を有するプロセッサ４１６と、少なくとも１つのトランシーバ４１４と、任意選択のバッテリ４２０と、アンテナ４１８とを含む。プロセッサ４１６は、ＣＳＧセルおよびハイブリッドセルに対するインバウンドモビリティについてのＰＣＩの混乱を解決する方法を実行するように構成されている。トランシーバ４１４は、無線通信の送信および受信を容易にするようにプロセッサ４１６およびアンテナ４１８と通信する。バッテリ４２０がＷＴＲＵ３１０において使用される場合には、バッテリ４２０は、トランシーバ４１４とプロセッサ４１６とに電力を供給する。
【００１９】
典型的なｅＮＢに見出すことができるコンポーネントに加えて、ｅＮＢ３２０は、任意選択のリンクされたメモリ４１５を有するプロセッサ４１７と、トランシーバ４１９と、アンテナ４２１とを含む。プロセッサ４１７は、ＣＳＧセルおよびハイブリッドセルに対するインバウンドモビリティについてのＰＣＩの混乱を解決する方法を実行するように構成されている。
【００２０】
トランシーバ４１９は、無線通信の送信および受信を容易にするようにプロセッサ４１７およびアンテナ４２１と通信する。ｅＮＢ３２０は、任意選択のリンクされたメモリ４３４を有するプロセッサ４３３を含むＭＭＥ／Ｓ−ＧＷ３３０に接続される。ＭＭＥ／Ｓ−ＧＷ３３０と、ｅＮＢ３２０と、ＷＴＲＵ３１０とは、ＨｅＮＢ３６０と通信する。
【００２１】
ＨｅＮＢは、データおよびコマンドを処理するためのプロセッサと、情報を送信するための送信機と、データを受信するための受信機と、送信機および受信機に結合され、無線インターフェースを通して直ちに送信および受信するためのアンテナとを備えることができる。
【００２２】
本明細書において説明される概念はまた、ユニバーサルモバイル電気通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ）（ＵＭＴＳ）など他の無線技術に対しても適用可能であることが、理解される。ＵＭＴＳの場合では、ＰＣＩについての同等な専門用語は、一次スクランブリングコード（ＰＳＣ）とすることができる。
【００２３】
２つの方法が、提案される。ＷＴＲＵ３１０は隣接セルのＣＧＩを読み取り、それをネットワークに対して報告するように構成されている。ネットワークは、ＣＳＧセルのＰＣＩをＣＧＩに対してマッピングするように構成されている。例えば、ネットワークは、サービングセルと隣接セルとについての異なるあらかじめ定義されたしきい値を信号で伝えることができる。サービングセルが、高位のしきい値より高くなったとき、または低位のしきい値より低くなったときに、ＷＴＲＵ３１０は、サービングセルをネットワークに対して報告することができる。ＷＴＲＵ３１０は、隣接セルについて類似した報告方法を使用することができる。サービングセルまたはＣＳＧの隣接セルの信号強度または信号品質に基づいて、ネットワークは、ＷＴＲＵ３１０にＣＧＩについての隣接セルのシステム情報（ＳＩ）を読み取るように要求すべきかどうか、またはＰＣＩの混乱それ自体を解決すべきかどうかを判定することができる。ネットワークはまた、新しいしきい値を判定する代わりに、イベント報告についての既存のしきい値を使用することもできる。
【００２４】
サービングセルの信号強度または信号品質が、しきい値より高い場合には、隣接セルの信号の強度または品質に無関係に、ネットワークは、ＷＴＲＵ３１０にＣＳＧの隣接セルのＣＧＩを報告するように要求することができる。ＣＳＧの隣接セルの信号の強度または品質に応じて、ネットワークは、おそらくは、より小さなギャップ持続期間（またはＤＲＸサイクルの周期性、またはギャップ長）が、ＷＴＲＵ３１０が隣接セルのＳＩを読み取るのに十分であるかどうか、またはＤＲＸサイクルのより大きな周期性が必要とされるかどうかを判定することができる。ＣＳＧの隣接セルが強い場合には、ＷＴＲＵ３１０は、隣接セルのＳＩを読み取ることができ、したがって必要とするギャップ持続期間はより短い可能性がある。あるいは、ＷＴＲＵ３１０は、隣接セルからのチャネル受信の品質に基づいて、必要とされるギャップ持続期間を自律的に判定し、この必要とされるギャップ持続期間をネットワークに対して信号で伝えることができる。
【００２５】
あるいは、サービングセルの信号強度または信号品質が、しきい値より低い場合には、ネットワークは、ＰＣＩの混乱それ自体を解決することができる。隣接セルの信号の強度または品質が如何に強いかに応じて、ネットワークは、ＣＳＧの隣接セルがＷＴＲＵ３１０のホワイトリストの中にあるかどうかを確認するためにＷＴＲＵ３１０にハンドオーバにおいてＣＳＧの隣接セルのＳＩを読み取るように要求することもでき、または要求しなくてもよい。隣接セルの信号の強度または品質が強くない場合、ネットワークは、ＷＴＲＵ３１０にハンドオーバにおいて隣接セルのＳＩを読み取るように要求しなくてもよい。隣接セルの信号強度が強い場合、ＷＴＲＵ３１０はまさに第１の例においてはＳＩを読み取ることができるので、ネットワークは、ＷＴＲＵ３１０にハンドオーバにおいて隣接セルのＳＩを読み取るように要求することができる。ＷＴＲＵ３１０はまた、ＣＳＧの隣接セルについての信号強度または信号品質のしきい値を使用することもできる。ＷＴＲＵ３１０は、ハンドオーバ時の、またはハンドオーバの前の指定された期間におけるセルの信号の強度または品質に基づいて、ハンドオーバ時にＣＳＧセルのＳＩを読み取ることを試みるべきかどうか意識している。信号強度または信号品質のしきい値は、ネットワークによってあらかじめ定義され、またはあらかじめ信号で伝えられることが可能である。
【００２６】
図５は、隣接ＣＳＧセルのＳＩを測定し、ＳＩをネットワークに対して報告する、ＷＴＲＵベースの方法５００を示す。ＷＴＲＵ３１０は、現在のサービングセルおよび少なくとも１つの隣接ＣＳＧセルの高いしきい値および低いしきい値を受信する（５０１）ように構成されている。ＷＴＲＵ３１０は、現在のサービングセルの信号強度を監視する（５０３）ように構成されており、測定された信号強度をサービングセルについての低いしきい値と比較するように構成されている。測定された信号強度が、サービングセルについての低いしきい値より低い場合（５０５）、ＷＴＲＵ３１０は隣接ＣＳＧセルからＳＩを読み取る（５０７）ことを開始する。ＷＴＲＵ３１０は、隣接ＣＳＧセルのＳＩを含む測定報告を送信する（５０９）。測定報告は、そのＰＣＩによって識別されるように、セルについての信号強度または信号品質を含むことができる。測定報告は、それだけには限定されないが、ＣＧＩを含めて隣接ＣＳＧセルのＳＩに含まれる情報をさらに含むことができる。
【００２７】
図６は、ＣＧＩを表す隣接セルのＳＩを読み取るためのＷＴＲＵベースの手順６００を示すブロック図である。ＷＴＲＵ３１０は、不連続な受信（ＤＲＸ）からの十分なアイドル時間（ｉｄｌｅ  ｔｉｍｅ）があるかどうか（６０５）を判定し、ＷＴＲＵ３１０は、ＣＳＧの隣接セルがしきい値より高い（６１０）と判定したとき、ＣＳＧの隣接セルのＳＩを読み取る（６２０）。ＣＳＧの隣接セルがその上にある必要があるしきい値は、ＳＩ上で、または専用のＲＲＣメッセージの中で、ネットワークによって信号で伝えられることが可能であり、または自律的にＷＴＲＵによって判定されることが可能である。さらに、ＷＴＲＵ３１０が隣接セルのＳＩを読み取るために必要とされるＤＲＸサイクルの最小周期性が存在することもある。最小の長さは、ＳＩの中で、または専用のＲＲＣメッセージの中で、ネットワークによって信号で伝えられることが可能である。信号強度のしきい値とＤＲＸサイクルの最小周期性とは、専用の、またはブロードキャストされるＲＲＣ信号伝達によって受信されることが可能である。
【００２８】
さらに、ＷＴＲＵ３１０が、ＤＲＸ持続期間を暗黙のうちに拡張し、それによってＣＳＧの隣接セルの上で測定を実行する機会を拡張することができるようにするしきい値が存在することができる。
【００２９】
ＷＴＲＵ３１０が、ＣＳＧの隣接セルのＣＧＩを読み取る（６２０）ことが可能である場合、ＷＴＲＵ３１０は、ＰＣＩの混乱を解決したことを示す測定報告をネットワークに対して送信する（６３０）ように構成されていることが可能である。測定報告は、ＣＳＧの隣接セルのＰＣＩと、ＰＣＩの混乱が解決されることを示す情報要素（ＩＥ）と、任意選択で、隣接セルのＣＧＩとを含むことができる。したがって、ある種の隣接セルについての２つの測定報告がある可能性があり、それによって第１の測定報告は、ＣＳＧの隣接セルの信号強度が特定のしきい値に到達する、またはそれと交差するときに、送信され、第２の測定報告は、ＷＴＲＵ３１０がＣＳＧの隣接セルのＳＩを読み取るときに、送信される。あるいは、ＷＴＲＵ３１０は、タイムツートリガ（ＴＴＴ）タイマが実行されているときに、隣接セルのＳＩを読み取ろうと試みることにより、２つの測定報告を１つの測定報告へと結合することもできる。測定報告が、イベントトリガされるときには、測定報告は、送信すべき条件がＴＴＴについて当てはまっていたときに送信されるにすぎない。隣接セルのＣＧＩのＳＩもまた、既存のＲＲＣメッセージの一部分としてピギーバックされることが可能である。
【００３０】
ＷＴＲＵ３１０が、ＣＳＧの隣接セルのＳＩを読み取るために使用可能なＤＲＸからのアイドル時間を有さない場合（６０５）には、ＷＴＲＵ３１０は、測定ギャップを備えるように要求している（６１５）ネットワークに対して測定報告または他の任意のＲＲＣメッセージを送信するように構成されていることが可能である。あるいは、ＷＴＲＵ３１０が、既存の測定報告を使用して隣接セルをネットワークに対して報告するとき（例えば、隣接セルの信号強度が、特定のしきい値より高い（６１０）とき）、ＷＴＲＵ３１０は、隣接セルのＳＩを読み取るために測定ギャップを必要とすることを示すＩＥを送信する（６２５）ことができる。このＩＥもまた、既存のＲＲＣメッセージの一部分としてピギーバックされることが可能である。
【００３１】
あるいは、または追加して、ＷＴＲＵ３１０はまた、測定報告または他の任意のＲＲＣメッセージ内で、隣接セルのＳＩを読み取るのに必要とする測定ギャップの長さと、ＷＴＲＵ３１０が１つの隣接したギャップ、または複数のより小さなギャップを必要とするかどうかとをネットワークに対して報告することもできる。ＷＴＲＵ３１０はまた、ＣＳＧの隣接セルのＳＩを読み取ることを必要とすることになるギャップの数を指定する（６２５）こともできる。
【００３２】
一実施形態においては、ＰＣＩからＣＧＩに対するマッピングについての有効性を判定する方法が、提供される。図７は、ＰＣＩからＣＧＩに対するマッピングを判定する方法７００についての流れ図を示す。ＷＴＲＵ３１０は、ＰＣＩまたはＣＧＩを含む、隣接ＣＳＧセルの第１の組のＳＩを読み取る（７０５）ように構成されている。ＷＴＲＵ３１０は、ＰＣＩを含む、隣接ＣＳＧセルについての第１の組のＳＩを記憶する（７１０）ように構成されていることが可能である。ＳＩが読み取られ（７０５）、記憶される（７１０）ときに、ＷＴＲＵ３１０は、タイマを開始する（７１５）ように構成されていることが可能である。タイマは、ＷＴＲＵ３１０が隣接ＣＳＧセルのＳＩを獲得することを開始するときに開始することができる。タイマは、ＰＣＩとＣＧＩとが有効のままである間の期間を示すように構成されていることが可能である。タイマが満了する（７２０）とき、ＷＴＲＵ３１０は、第２の組の隣接のＳＩを読み取る（７２５）（すなわち取り出す）ように構成されていることが可能である。ＷＴＲＵ３１０は、第２の組のＳＩと、第１の組のＳＩを比較して（７３０）、ＣＳＧセルのＣＧＩを識別することができる。第１の組のＳＩが、第２の組のＳＩとマッチする場合に、ＷＴＲＵ３１０は、ＣＳＧセルのＣＧＩをあいまい性なく識別している（７３５）。ＷＴＲＵ３１０が１つのセルから別のセルへと移動している場合には、有効性タイマは、ＷＴＲＵ３１０が、ある種のＰＣＩのセルを報告するときに、間違ったＣＧＩをネットワークに対して報告しないようにすることができる。ＰＣＩの混乱を解決することは、ＷＴＲＵ３１０がＣＳＧセルの識別情報（ＣＧＩ）をあいまい性なく識別していることを意味する。
【００３３】
ＷＴＲＵ３１０は、ＰＣＩからＣＧＩに対するマッピングが有効である時間または状態と、ＷＴＲＵ３１０が隣接セルのＳＩを読み取ることが必要とされる状態とを知ることが必要とされることもある。ＷＴＲＵ３１０は、ＣＧＩを読み取った隣接ＣＳＧセルから離れて移動し、別のＣＳＧセル上で同じＰＣＩに遭遇することもある。この場合には、ＷＴＲＵ３１０は、次いで再び隣接セルのＳＩを読み取る必要がある可能性がある。ＷＴＲＵ３１０は、隣接セルのＳＩを再読み取りする必要があるかどうか、またはＷＴＲＵ３１０がＳＩを有効であるともはや見なさない状態を判定することができ、これは、関連するＰＣＩを用いて記憶された情報をクリアすることをもたらす。
【００３４】
この判定を行うために、ＷＴＲＵ３１０は、上記に説明されるように、有効性タイマを使用する（７２０）ことができる。有効性タイマについての持続期間は、ネットワークによってあらかじめ定義され、または信号で伝えられることが可能である。あるいは、有効性タイマは、関係しているＰＣＩと関連するＣＧＩとを含む測定報告の送信のすぐ後に開始されることも可能である。あるいは、タイマは、ＷＴＲＵ３１０が、関係しているＰＣＩを検出することを停止するときに開始されることも可能である。あるいは、タイマは、以下に説明される条件のどれかが満たされると判定したとき停止されることも可能である。
【００３５】
したがって、ひとたび有効性タイマが満了し、または停止された後に、ＷＴＲＵ３１０は、次いで再び隣接のＳＩを読み取ってＣＧＩを判定することができる。あるいは、ＷＴＲＵ３１０は、ＷＴＲＵ３１０が自律的にＳＩを再読み取りする代わりに、ＳＩを再読み取りするためのネットワーク指示を待つことも可能である。ネットワークは、すべてのＣＳＧセルについての１つの共通な有効性期間を信号で伝えることができ、またはネットワークは、ＣＳＧセル当たりに１つの有効性タイマ期間を信号で伝えることができる。
【００３６】
あるいは、ＷＴＲＵ３１０が、再選択手順を実行し、または新しい公有地モバイルネットワーク（ＰＬＭＮ）を選択するときにはいつでも、ＷＴＲＵ３１０が、ＰＣＩからＣＧＩに対するマッピングを実行するためにすべての隣接セルのＳＩを読み取るように構成されていることが可能であるということを必要とする暗黙の規則が、定義されることもある。ＷＴＲＵ３１０は、ＷＴＲＵ３１０が以前のセルまたはＰＬＭＮ）上にあった間、すでに読み取っていたとしても、すべての隣接セルのＳＩを読み取るように構成されていることが可能である。さらに、ひとたびＷＴＲＵ３１０が再選択またはＰＬＭＮ選択を実行した後に、ネットワークは、ＷＴＲＵ３１０がＰＣＩからＣＧＩに対するマッピングを実行するためにそのＳＩを再読み取りすべきＣＳＧの隣接セルのリストを信号で伝えることができる。
【００３７】
図８は、別の実施形態による、ＰＣＩからＣＧＩに対するマッピングについての有効性を判定する方法８００についてのブロック図を示す。ＷＴＲＵ３１０は、ＰＣＩまたはＣＳＧのＩＤを含めて、隣接ＣＳＧセルの、第１の組の必要とされるＳＩを読み取る（８０５）ように構成されている。ＷＴＲＵ３１０は、隣接ＣＳＧセルについての獲得されたＳＩと、ＰＣＩとを記憶する（８１０）ように構成されていることが可能である。ＷＴＲＵ３１０は、マッピングが無効と見なされ得るかどうかを判定するように構成されている。ＷＴＲＵ３１０は、サービングセルが変化したかどうか、すなわちセル間のハンドオーバが行われたかどうか、またソースセルまたはターゲットセルが、関係しているＰＣＩを使用していないかどうかを判定する（８１５）ように構成されている。判定が８１５において肯定的である場合には、ＷＴＲＵ３１０は、第２の組のＳＩを再読み取りする（８２０）ように構成されている。ＷＴＲＵ３１０は、第１の組のＳＩと、第２の組のＳＩを比較して（８２５）、ＰＣＩの混乱が解決されるかどうかを判定する（８３０）ように構成されている。ＷＴＲＵ３１０は、ＰＣＩの混乱が解決されることを述べるメッセージ（すなわち、測定報告）をネットワークに対して送信する（８３５）ように構成されている。
【００３８】
あるいは、マッピングは、ＷＴＲＵ３１０が、関係しているＰＣＩを使用したセルのない測定報告を送信するように構成されていることが可能であるときに、無効と見なされることが可能である。これは、ＷＴＲＵ３１０が、関係しているセルから離れて移動するときに行われ得る。あるいは、マッピングは、ＷＴＲＵ３１０が、このＰＣＩについてのＰＣＩの混乱を検出するように構成されていることが可能であり、すなわち、同じＰＣＩを使用した２つの異なるセルが、与えられたロケーションにおいてかなりのレベルで聞かれ得るときに、無効と見なされる可能性もある。マッピングは、ＷＴＲＵ３１０が、関係しているＰＣＩを有するセルに対してハンドオーバするように指示されるが、そのハンドオーバが、失敗する、またはＷＴＲＵ３１０がアクセスを拒否されることに起因して失敗するときに、無効と見なされることが可能である。マッピングが無効になるときに、ＷＴＲＵ３１０は、ネットワークに対して、マッピングが無効であることを信号で伝え、またはこの次にＰＣＩが測定されるときに、ＣＧＩの復号を再び試み、またはネットワークが、ＷＴＲＵ３１０にＳＩを読み取ることを実行するように指示するときだけに復号を再び試みる。
【００３９】
あるいは、ネットワークは、ＷＴＲＵ３１０がＣＧＩを再読み取りすることを必要とすることをＣＳＧの隣接セルに示して、ＳＩまたはＲＲＣメッセージのいずれかの中でＣＳＧの隣接セルに信号で伝えることもできる。ＷＴＲＵ３１０は、図７に関して上記で述べられるように、暗黙の条件またはタイマ値に基づいて信号で伝えられたＣＳＧセルのＳＩを読み取るように構成されていることが可能である。残りのＣＳＧセルについては、ＷＴＲＵ３１０は、ＰＣＩからＣＳＧに対するマッピングを保持することができる。
【００４０】
あるいは、ネットワークは、ＲＲＣメッセージまたはＳＩの中で信号で伝えられる再読み取りされたＣＳＧの隣接セルを有するＩＥを使用することができる。ＩＥが存在し、または真に設定されるときに、ＷＴＲＵ３１０は、ＣＳＧの隣接セルのＳＩを再読み取りしてＰＣＩからＣＧＩに対するマッピングを確認することができる。ＩＥは、すべてのＣＳＧセルについての１つの共通のＩＥの組とすることができ、またはネットワークは、ＣＳＧセル当たりに１つのＩＥを信号で伝えることができる。
【００４１】
あるいは、ＣＧＩと、あらかじめ定義されたＰＣＩ（ＣＳＧセルまたはハイブリッドセルによって使用される）との間のＷＴＲＵ３１０のマッピングは、ＷＴＲＵの状態または測定値の組が、ＣＧＩが以前に測定されている状態または測定値の組（すなわち、フィンガープリント、測定された地理的位置）とマッチするときに、有効と見なされる。状態または測定値は、サービングマクロセルまたは隣接するマクロセルの識別情報とすることができる。マッピングは、あらかじめ定義され、または信号で伝えられた持続期間にわたって、またはネットワークからの通知まで、またはＷＴＲＵ３１０が、マッピングがもはや有効でないと判定するまで、有効のままであることができる。例えば、関係しているフィンガープリントとマッチするＣＳＧセルに対するハンドオーバの失敗が発生し、ＣＳＧセルが、許容されたＣＳＧである（すなわち、許容された範囲内にある）と仮定される場合には、マッピングは、もはや有効ではない可能性がある。
【００４２】
あるいは、ＷＴＲＵ３１０が、ロケーションエリア（ｌｏｃａｔｉｏｎ  ａｒｅａ）（ＬＡ）またはトラッキングエリア（ｔｒａｃｋｉｎｇ  ａｒｅａ）（ＴＡ）またはルーティングエリア（ｒｏｕｔｉｎｇ  ａｒｅａ）（ＲＡ）の外へ移動するときに、ＷＴＲＵ３１０は、隣接するセルのＣＳＧまたはＣＧＩを測定するように、または獲得された情報を無効と見なすようにトリガされる（すなわち、トラッキングエリアもしくはロケーションエリアのアップデート、またはルーティングエリアのアップデート、またはユーザ登録エリア（ｕｓｅｒ  ｒｅｇｉｓｔｒａｔｉｏｎ  ａｒｅａ）（ＵＲＡ）のアップデートが起こる）。ＷＴＲＵ３１０は、アイドル状態、またはセルページングチャネル（ＣＥＬＬ＿ＰＣＨ）／ＵＲＡ＿ＰＣＨ状態、またはセル順方向チャネル（ＣＥＬＬ＿ＦＡＣＨ）状態にある場合に、このエリア内のすべての隣接するものを測定することができる。ＷＴＲＵ３１０が、アクティブモードにある場合には、隣接セルの品質が構成された時間にわたってしきい値より高い場合、またはネットワークが、ＷＴＲＵ３１０にチャネルを測定すべきことを示す場合に、ＷＴＲＵ３１０は、ＣＧＩおよびＣＳＧを測定する。
【００４３】
隣接ＣＳＧセルの品質がしきい値の下に下がるときに、ＷＴＲＵ３１０は、対応するＰＣＩを有する隣接ＣＳＧセルについての獲得されたＳＩを無効であるように見なすことができる。隣接ＣＳＧセルの品質または信号レベルが、構成され、またはあらかじめ定義された期間にわたって、しきい値より低い場合、任意選択で、ＷＴＲＵ３１０は、ＳＩを無効と見なすことができる。品質は、ＵＭＴＳまたはＬＴＥシステムの場合に、それぞれ、チップ当たりの共通のパイロットチャネル（ＣＰＩＣＨ）エネルギー（Ｅｃ）／雑音電力スペクトル密度（Ｎｏ）または基準信号受信品質（ＲＳＲＱ）に対応する可能性がある。信号レベルは、ＵＭＴＳまたはＬＴＥシステムの場合に、それぞれ、ＣＰＩＣＨ受信信号コード電力（ＲＳＣＰ）または基準信号受信電力（ＲＳＲＰ）に対応する可能性がある。しきい値は、ネットワークにより構成されたしきい値、またはＷＴＲＵにより判定されたしきい値とすることができる。パラメータは、特定のＣＳＧのしきい値としてネットワークにより、または他の周波数内イベントまたは周波数間イベントについて構成される既存の絶対しきい値の値を使用することにより構成されていることが可能である。例えば、Ｓ−メジャーが、使用されることが可能であり、または他の任意のしきい値が、使用されることが可能である。測定値（基準信号受信電力（ＲＳＲＰ）または基準信号受信品質（ＲＳＲＱ））が、Ｓ−メジャーより高いとき、ＷＴＲＵ３１０は、ある種の測定を実行することを必要とはされない。あるいは、構成されたしきい値のどれかにオフセットが、ＷＴＲＵ３１０によって追加されて、ＳＩ有効性のための新しいしきい値を判定することができる。あるいは、ＷＴＲＵ３１０が、隣接セルのＳＩを獲得することを開始し、または完了している時に、しきい値は、隣接セルの信号レベルまたは品質から、あらかじめ定義され、または信号で伝えられたオフセットを差し引くことによって判定される。
【００４４】
隣接セルの低減された品質または信号レベルは、ＷＴＲＵ３１０が隣接ＣＳＧセルから離れつつあり、同じＰＣＩカバレッジを有する異なるＣＳＧセルに遭遇する確率が増大する可能性があることを意味する可能性がある。あるいは、隣接セルの品質または信号レベルが、構成された測定イベントおよび判断基準のどれについても、報告する範囲に満たない。
【００４５】
関係している隣接セルが、通常のイベントまたはＣＳＧ特有のイベントのいずれでも、ＬＴＥの場合におけるＡ３など測定イベントをトリガする場合、ＷＴＲＵ３１０は、そのイベントをトリガした条件がもはや当てはまらないとき、またはイベントについての離脱条件（ｌｅａｖｉｎｇ  ｃｏｎｄｉｔｉｏｎ）が当てはまるようになったときに、ＳＩを無効と見なすことができる。言い換えれば、隣接セルは、もはやサービングよりも良いあらかじめ定義されたオフセットではない。イベントＡ３は、隣接セルが、サービングセルよりも良いあらかじめ定義されたオフセットになることを表すことができる。
【００４６】
ＷＴＲＵ３１０は、セルのＳＩを獲得することによって得られる情報を含む測定報告を正常に送信した後に、隣接セルのＳＩを無効と見なすことができる。言い換えれば、ＣＧＩと他の情報とを含む測定報告をネットワークに対して送信した後に、ＷＴＲＵ３１０は、メモリからのこの情報をクリアし、またはそれを無効と見なす。
【００４７】
ＷＴＲＵ３１０が、フィンガープリントエリア、またはそれらの測定をトリガした地理的エリアから離れるときに、ＷＴＲＵ３１０は、隣接セルについての獲得されたＳＩを無効であると見なすことができる。特に、近接エリアから離れるメッセージをネットワークに対して報告したとき、ＷＴＲＵ３１０は、読み取ったＰＣＩについての記憶されたＳＩがあればそれをクリアすることができる。あるいは、ＷＴＲＵ３１０が、現在の地理的エリアから離れ、現在のＰＣＩが発生しそうもないと考えられる新しい地理的エリアまたはフィンガープリントエリアに入る場合に、これは起こる可能性もある。例えば、記憶されたフィンガープリント情報に応じて、ＰＣＩは、ホワイトリストに記憶されるＣＳＧのどれにも対応しない。
【００４８】
ネットワークが、ＰＣＩについてのＳＩを獲得するように示して、ＷＴＲＵ３１０に明示的に指示するメッセージを送信する場合に、ＷＴＲＵ３１０は、隣接セルのＳＩをクリアし、ＳＩを再獲得することができる。ＰＣＩは、ＷＴＲＵ３１０によってＳＩが記憶されているＰＣＩに対応する。メッセージは、測定制御または再構成のメッセージとすることができる。
【００４９】
ネットワークが、周波数間またはＲＡＴ間の測定を停止するように、ＷＴＲＵ３１０に対して測定値を送信するときに、ＷＴＲＵ３１０は、ＳＩを無効であると見なすことができる。例えば、ＷＴＲＵ３１０は、もはや周波数間またはＲＡＴ間の測定構成を有してはいない。
【００５０】
あるいは、ＷＴＲＵ３１０は、アイドル状態から接続状態へ、またはその逆へなどＲＲＣ状態を変更したとき、ＳＩを無効であると見なすこともできる。あるいは、状態遷移が発生し、ＷＴＲＵ３１０がこの情報を記憶しているとき、ＷＴＲＵ３１０は、上記に定義される代替案のどれかによって判定されるように無効と見なされるまで、新しい状態において同じ情報を継承し、使用することができる。
【００５１】
ＳＩが無効と見なされる場合、また測定報告がトリガされる場合には、ＷＴＲＵ３１０は、ＳＩ報告を空（ｅｍｐｔｙ）にしておくことができる。ネットワークが、ＷＴＲＵ３１０にＳＩを再読み取りしてもらいたいと思う場合、ネットワークは、初期の読取りについて行ったように追加の明示信号を送信することができる。あるいは、ＷＴＲＵ３１０は、ネットワークの明示的な指示を待たずに、自律的ギャップ中に内容をクリアし、ＳＩを自律的に再読み取りすることもできる。それらの解決法は、アイドルモードまたは接続モードにおけるＷＴＲＵに対して適用可能である。
【００５２】
別の実施形態においては、ソースセルに対してＣＧＩを報告し、ギャップを要求するための手順が、提供される。以下は、そのＰＣＩがＷＴＲＵ３１０によって測定されているＣＳＧセルまたはハイブリッドセルの識別情報を報告するための、図９および１０に示される複数の方法（９００および１０００）について説明している。それらの方法は、組み合わせて使用されることもある。一般に、ＷＴＲＵ３１０からネットワークへの報告または他の通信は、この目的のために定義される測定報告メッセージ、または他の任意の、または新しいＲＲＣメッセージを使用して実行されることが可能である。
【００５３】
図９に示される第１の方法においては、ＷＴＲＵ３１０は、ＣＳＧセルのＰＣＩを読み取る（９０５）ように構成されている。ＷＴＲＵ３１０は、ＣＳＧセルによって使用される測定されたＰＣＩに対応するＣＧＩを識別する（９１０）ように構成されている。ＷＴＲＵ３１０は、マッピングの有効性が、当てはまるかどうかを判定する（９１５）。ＷＴＲＵ３１０は、この測定されたＰＣＩについてのＣＧＩの有効なマッピングを有するときはいつでも、ＣＳＧセルによって使用される測定されたＰＣＩに対応するＣＧＩをネットワーク（すなわち、ソースセル）に対して報告する（９２０）ように構成されている。ＷＴＲＵ３１０は、ＣＧＩが、許容されたＣＳＧに対応することを報告する（９２０）。ＷＴＲＵ３１０は、マッピングが有効でない場合に、測定されたＰＣＩのＣＧＩがＣＳＧセルに対応しないことをネットワークに対して報告する（９２５）ように構成されている。
【００５４】
任意選択で、ＣＳＧが許容されない場合には、ＷＴＲＵ３１０は、この情報を報告するだけであり、ＣＧＩを報告することはない。任意選択で、ＣＳＧが許容されない場合には、ＷＴＲＵ３１０は、ＣＧＩ、またはどのような追加の情報も報告しない。任意選択で、ＷＴＲＵ３１０はまた、マッピングが、判定される時刻を報告する。この情報は、ＣＳＧセルのＰＣＩを含む測定報告、または他の任意のＲＲＣメッセージの形で搬送されることが可能である。
【００５５】
この情報に基づいて、ネットワークは、ＣＳＧの受信信号レベルに応じて、それが許容されたＣＳＧである場合、ＣＳＧセルに対するハンドオーバ手順を開始することができる。ＷＴＲＵ３１０が、ＣＳＧセルまたはハイブリッドセルによって使用される測定されたＰＣＩについてのＣＧＩを報告しない場合には、ネットワークは、ＷＴＲＵ３１０にそのＣＳＧセルのＣＧＩを測定するように命令し、必要とされるギャップを割り付けてその測定を容易にすることができる。
【００５６】
許容されるＣＳＧセルの可能性を含めてネットワークに対してＣＧＩを報告するための別の方法１０００が、図１０の中で説明され、示されている。ＷＴＲＵ３１０は、ＰＣＩについて認識し、一般に、１６８個の固有のセル識別情報グループへとグループ分けされる５０４個の固有の識別情報（すなわち、ＰＣＩ）が存在する。ＷＴＲＵ３１０は、限定セル（すなわち、ハイブリッドセルまたはオープンセルでない）のために予約されるＰＣＩの範囲について認識する。限定セルの範囲の外側にあるどのようなＰＣＩも、ハイブリッドセルの範囲またはオープンセルの範囲の中にある。ＷＴＲＵ３１０は、ＣＳＧセルのＰＣＩを読み取る（１００５）ように構成されている。ＷＴＲＵ３１０は、ＰＣＩが、ハイブリッドセルに対応するかどうかを判定する（１０１０）。ＷＴＲＵ３１０が、ＰＣＩがハイブリッドセルまたはオープンセルに対応することを（ハイブリッドセルまたはオープンセルについて利用されるＰＣＩの範囲の知識に基づいて）検出する場合、ＷＴＲＵ３１０は、セルが許容範囲の中にある（１０１５）ことを認識する。ＷＴＲＵ３１０が、ＰＣＩが許容されるＣＳＧセルまたはハイブリッドセルによって使用される、または使用される可能性があると判定したときに、ＷＴＲＵ３１０は、ネットワークに対して情報を報告する（１０２０）ように構成されている。セルが限定セル範囲の中にある場合（１０２５）には、ＷＴＲＵ３１０は、ＰＣＩが使用され、または許容されるＣＳＧセルによって高い確率で使用される可能性があることを示す情報をネットワークに対して報告する（１０３０）。ＰＣＩは、ＷＴＲＵがそのメンバである限定セルに対応する可能性がある。
【００５７】
許容されないＣＳＧセルによって高い確率で使用され、または使用される可能性がある判定は、ＷＴＲＵ３１０が、許容されたＣＳＧセル、許容されたハイブリッドセル、または許容されないＣＳＧセルの近傍にあるときに存在するフィンガープリントなどの状態または測定値の組をＷＴＲＵ３１０が認識することに基づいている可能性がある。例えば、状態の組は、ＷＴＲＵ３１０が、地理的にあらかじめ定義された位置の周囲にあることと、セルのＰＣＩが、それが最後にアクセスされたときに許容されたＣＳＧセルによって使用されるＰＣＩとマッチすることとを含むことができる。報告は、ＣＳＧセルのＰＣＩを含む任意の測定報告、または他の任意のＲＲＣメッセージのいずれかの形で搬送されることが可能である。または、測定報告は、ＷＴＲＵ３１０にＣＳＧセルまたはハイブリッドセルの識別情報を提供するように指示するネットワークからメッセージを受信する結果として送信される。または、測定報告は、ハンドオーバを実行する緊急性を示す条件が満たされる場合に、送信される。
【００５８】
例えば、その報告は、受信信号レベルよりも上のハイブリッドセルまたはＣＳＧセルの検出のすぐ後に、またはタイマの満了または停止が、ある種の受信信号レベルよりも上のハイブリッドセルまたはＣＳＧセルの検出のすぐ後に開始した後に、送信されることが可能である。タイマは、ＷＴＲＵ３１０が正常にハイブリッドセルまたはＣＳＧセルの識別情報を復号する場合に、停止されることが可能である。タイマは、停止されることが可能であり、ＷＴＲＵ３１０は、ＤＲＸ動作から生じる機会に起因したネットワークによるギャップの割付けなしに識別情報を正常に復号することができる。任意選択で、タイマは、サービングセル、ハイブリッドセルまたはＣＳＧセルからの信号レベルが、ハイブリッドセルまたはＣＳＧセルに対するハンドオーバが緊急でないようである場合に、使用されることが可能であるにすぎない。
【００５９】
ハンドオーバ手順の緊急性を判定するための条件の例は、サービングマクロセルの信号レベルがしきい値より低いとき、ＣＳＧセルまたはハイブリッドセルの信号レベルがしきい値より高いとき、またはＣＳＧセルまたはハイブリッドセルの信号レベルと、サービングセルの信号レベルとの間のｄＢにおける差が、しきい値より高いときを含んでおり、これらは否定的である可能性がある。後者の条件は、サービングマクロセルと、ターゲットＣＳＧセルまたはハイブリッドセルとが同じ周波数の中にある場合だけに、オプショナルに使用されることが可能である。
【００６０】
情報は、ＰＣＩが、許容されたＣＳＧセル、ハイブリッドセル、または許容されないＣＳＧセルに対応する可能性があるという表示を含むことができ、したがって、ＣＧＩの測定値が必要とされ、または必要とされない。表示が、セルが許容されない可能性があることを述べている場合には、表示は、ＣＧＩの測定を容易にするためにギャップを割り付けるべき、ネットワークに対する要求と同等である可能性がある。あるいは、表示は、ＷＴＲＵ３１０が、アイドル時間を使用してＣＧＩの測定を試み得る、または試みていることと、ギャップの割付けが、必要である可能性があることという、ネットワークに対する表示として解釈されることも可能である。表示が、セルが許容されないことを述べている場合には、そのような表示は、ＣＧＩの測定を容易にするためにギャップを割り付けるべきでないという、ネットワークに対する要求、またはセルが許容されないこと、またはＣＧＩの測定が試みられない可能性があることという通知と同等である可能性がある。任意選択で、この情報は、ＷＴＲＵ３１０が、この測定されたＰＣＩについてのＣＧＩの有効なマッピングを有さない場合だけに、送信される。任意選択で、表示の不在は、ＰＣＩが、許容されたＣＳＧセルまたはハイブリッドセルに対応する可能性があることを意味する。あるいは、表示の不在は、ＣＧＩの測定が必要とされないことを意味する。
【００６１】
情報は、使用可能な場合、ＰＣＩを使用した、ＣＳＧセルまたはハイブリッドセルの仮定され、または測定されたＣＧＩを含むことができる。これは、ＣＳＧが許容され得るかどうかについての表示を伴って報告されることが可能である。任意選択で、ＣＳＧが許容されない場合には、ＷＴＲＵ３１０は、情報を報告するだけであり、ＣＧＩを報告しない可能性がある。任意選択で、ＰＣＩとＣＧＩとの間のマッピングが判定された時刻、またはＣＧＩがちょうど測定されたかどうかについての表示が存在する可能性がある。任意選択で、情報は、ＣＧＩとＰＣＩとの間のマッピングが有効なままである場合にだけ、報告される。任意選択で、これは、ＷＴＲＵ３１０が、どのようなＰＣＩの混乱についても知らない場合にだけ、報告され、それによって、許容されたＣＳＧのＰＣＩはまた、ソースセルの近傍内で別のＣＳＧによって使用されている。
【００６２】
ＣＧＩが提供される場合には、ネットワークは、ＣＳＧの受信信号レベルに応じてＣＳＧセルに対するハンドオーバ手順を開始することができる。例えば、ＷＴＲＵ３１０は、測定されたＰＣＩが、許容されたＣＳＧに対応することを示すことができる。ＷＴＲＵ３１０が、ＰＣＩが許容されたＣＳＧセルまたはハイブリッドセルに対応する可能性があるという表示を報告するだけである場合には、ネットワークは、ＣＳＧセルまたはハイブリッドセルのＣＧＩを測定し、かつ／またはこの測定を容易にするために必要とされるギャップを割り付けるように、ＷＴＲＵ３１０に命令することができる。ネットワークは、ＣＧＩを測定する必要があるセルのＰＣＩを示すことができ、その結果、ＷＴＲＵ３１０は、複数のＰＣＩが存在する場合に、どのＰＣＩが測定されるべきかを知るようになる。ネットワークが、ＰＣＩが常に許容されるハイブリッドセルに対応することを認識する場合、ネットワークは、たとえＷＴＲＵ３１０が指示を送らないとしても、ハイブリッドセルの識別情報を測定するようにＷＴＲＵ３１０に命令することができる。ギャップ割付けは、再構成メッセージの中で、または測定制御メッセージの中で示されることが可能である。
【００６３】
任意選択で、ネットワークは、ハンドオーバを実行する緊急性を示す条件が満たされた後だけに、ギャップを割り付けることができる。例えば、その割付けは、検出されたＰＣＩが、許容される可能性があるＣＳＧセルまたはハイブリッドセルに対応し得ることを示す、ＷＴＲＵ３１０からのメッセージの受信のすぐ後に開始されたタイマの満了のすぐ後に、実行されることが可能である。タイマは、ＣＳＧセルまたはハイブリッドセルの識別情報を含むＷＴＲＵメッセージの受信のすぐ後に停止されることが可能である。この手順は、ＷＴＲＵ３１０が、ＤＲＸ動作に起因した自然の機会を使用してＣＳＧセルの識別情報を復号するためにいくらかの時間を残すことができ、したがってギャップの不必要な構成を回避している。
【００６４】
ハンドオーバ手順の緊急性を判定するための条件の他の例は、サービングマクロセルの信号レベルが、しきい値より低いとき、ＣＳＧセルまたはハイブリッドセルの信号レベルが、しきい値より高いとき、またはＣＳＧセルまたはハイブリッドセルの信号レベルと、サービングセルの信号レベルとの間のｄＢにおける差が、しきい値より高いときを含んでおり、これらは、否定的である可能性がある。後者の条件は、サービングマクロセルと、ターゲットＣＳＧセルまたはハイブリッドセルとが同じ周波数の中にある場合だけに、オプショナルに使用されることが可能である。
【００６５】
ＷＴＲＵ３１０が、ＰＣＩが許容されないＣＳＧセルに対応する可能性があるという表示を報告するだけの場合には、ネットワークは、ＣＳＧセルのＣＧＩを測定するようにＷＴＲＵ３１０に命令することをやめ、ＣＳＧセルに向けてどのようなモビリティ手順を用いても追跡することをやめることができる。
【００６６】
ＷＴＲＵ３１０は、ＷＴＲＵ３１０がギャップを割り付けられる前または後に、ＤＲＸ動作によって提供されるアイドル時間、および／または測定ギャップの間にＣＧＩの測定を試みることができる。ＷＴＲＵ３１０は、ＣＳＧセルまたはハイブリッドセルのＰＣＩの検出のすぐ後に測定を開始することができる。ＷＴＲＵ３１０は、ある種のしきい値よりも上の受信信号の強度または品質を有するＣＳＧセルまたはハイブリッドセルのＰＣＩの検出のすぐ後に、測定を開始することができる。ＷＴＲＵ３１０は、ＣＳＧセルまたはハイブリッドセルの信号レベルと、サービングセルの信号レベルとの間のｄＢにおける差が、しきい値より高いときに、測定を開始することができる。ＷＴＲＵ３１０は、ＣＳＧセルまたはハイブリッドセルのＰＣＩが、ある種のしきい値よりも上の受信信号の強度または品質で検出されるときに開始されるタイマの満了のすぐ後に、測定を開始することができる。タイマは、信号の強度または品質がしきい値の下に下がる場合に、停止されている。ＷＴＲＵ３１０は、ＣＳＧセルまたはハイブリッドセルのＰＣＩを含む測定報告を送信した後に、測定を開始することができる。あるいは、ＷＴＲＵ３１０は、ＰＣＩが許容されたＣＳＧセルまたはハイブリッドセルに対応する可能性があるという表示を有する、ＣＳＧセルまたはハイブリッドセルのＰＣＩを含む測定報告を送信した後に、測定を開始することもできる。
【００６７】
上記の方法のどれかの中の測定報告についてのトリガをサポートするために、新しい測定イベントが、定義されることが可能である。異なるイベントの定義は、隣接ＣＳＧセル、または通常のセルと比べられるハイブリッドセルについての異なるしきい値の使用を容易にする。そのような新しいイベントの例が、以下で説明される。ここで説明されるイベントタグ名は、任意であり、すなわちイベントＨ３、Ｈ４、Ｈ５、およびＨ６が、説明される。
【００６８】
イベントＨ３は、ＣＳＧセルまたはハイブリッドセルの隣接セルが、サービングセルよりも良いオフセットになるときに、起こる。このイベントは、ＬＴＥのＲＲＣプロトコルの中のイベントＡ３と同様であるが、但し隣接セルが、ＣＳＧセル、ハイブリッドセルであり、またはＷＴＲＵ３１０によって許容される可能性のあるＣＳＧセルまたはハイブリッドセルとして識別されるという追加の条件を有する。
【００６９】
イベントＨ４は、ＣＳＧセルまたはハイブリッドセルの隣接セルが、あらかじめ判定されたしきい値よりも良くなるときに、起こる。このイベントは、イベントＡ４と同様であるが、但し隣接セルが、ＣＳＧセル、ハイブリッドセルであり、またはＷＴＲＵ３１０によって許容される可能性のあるＣＳＧセルまたはハイブリッドセルとして識別されるという追加の条件を有する。
【００７０】
イベントＨ５は、サービングが、あらかじめ定義されたしきい値１よりも悪くなり、ＣＳＧセルまたはハイブリッドセルの隣接セルが、あらかじめ定義されたしきい値２よりも良くなるときに起こる。このイベントは、イベントＡ５と同様であり、隣接セルが、ＣＳＧセル、ハイブリッドセルであり、またはＷＴＲＵ３１０によって許容される可能性のあるＣＳＧセルまたはハイブリッドセルとして識別されるという追加の条件を有する。
【００７１】
イベントＨ６は、隣接のＣＳＧセルまたはハイブリッドセルの識別情報が、正常に測定されているときに起こる。
【００７２】
図１１は、隣接ＣＳＧセルのＳＩを読み取ることを開始すべき、ＷＴＲＵ３１０における信号伝達を受信し、ＷＴＲＵに受信リソースを割り付けるための方法１１００を示す。ＷＴＲＵ３１０は、少なくとも１つの隣接ＣＳＧセルのＳＩを読み取るべき信号を受信する（１１０１）ように構成されている。信号は、タイマの満了に応じてネットワークによって生成されていることが可能であり、またはサービングセルまたはＣＳＧセルの信号強度が、ハンドオーバが必ずしも必要でない、あるいは望ましい可能性があることを示す監視されたしきい値を超過し、またはそのしきい値よりも下に下がる場合のしきい値の交差などのイベントに起因して信号で伝えられていることが可能である。ＷＴＲＵ３１０は、ＤＲＸギャップの割付けを受信する（１１０３）ように構成されており、これは、隣接ＣＳＧセルからのＳＩの測定を容易にする。ＷＴＲＵ３１０は、割り付けられたＤＲＸギャップ中に隣接ＣＳＧセルからのＳＩを読み取る（１１０５）ように構成されている。隣接ＣＳＧセルのＳＩが読み取られているときに、ＷＴＲＵ３１０は、隣接ＣＳＧセルについてのＳＩを含む測定報告をネットワークに対して送信する（１１０７）ように構成されている。
【００７３】
一例においては、手順は、許容されたＣＳＧセルに対してハンドオーバするＷＴＲＵのために提供される。ＷＴＲＵ３１０は、最初に、マクロセルによってサーブされる。ＷＴＲＵ３１０は、ＣＳＧセルのＰＣＩを検出するように構成されている。このＣＳＧセルのフィンガープリントは、以前に許容されたＣＳＧセルのフィンガープリントとマッチする。フィンガープリントは、ＣＳＧセルの地理的ロケーションまたは使用されたＰＣＩとすることができる。しかしながら、ＷＴＲＵ３１０は、そのセルの有効なＣＳＧのＩＤを有してはいない。ＷＴＲＵ３１０は、ＤＲＸおよび／または測定のギャップによって生成されるアイドル期間中に、ＣＳＧのＩＤを復号するように試みることができる。ＷＴＲＵ３１０は、ＣＳＧセルのＰＣＩと、ＣＧＩが測定される必要があることを示す表示とを含む測定報告をネットワークに対して送信することができる。あらかじめ定義された遅延の後に、ネットワークは、ＣＧＩの測定を容易にするギャップをＷＴＲＵ３１０に割り付けるメッセージを送信する。ＷＴＲＵ３１０は、正常にＣＧＩを復号し、ＣＳＧが許容されたＣＳＧセルのそのリストの中に含まれることを見出す。ＷＴＲＵ３１０は、ＰＣＩと、対応するＣＧＩとを含む測定報告を送信する。ネットワークは、ＣＳＧセルに対してハンドオーバ手順を開始する。
【００７４】
別の例においては、許容されていないＣＳＧセルを測定する手順が、ＷＴＲＵのために提供される。ＷＴＲＵ３１０は、最初に、マクロセルによってサーブされる。ＷＴＲＵ３１０は、ＣＳＧセルのＰＣＩを検出する。このＣＳＧセルのフィンガープリントは、以前に許容されたＣＳＧセルのフィンガープリントとマッチする。フィンガープリントは、ＣＳＧセルの地理的ロケーションまたは使用されたＰＣＩとすることができる。しかしながら、ＷＴＲＵ３１０は、そのセルの有効なＣＳＧのＩＤを有してはいない。ＷＴＲＵ３１０は、ＤＲＸおよび／または測定のギャップによって生成されるアイドル期間中にＣＳＧのＩＤを復号するように試みることができる。ＷＴＲＵ３１０は、ＣＳＧセルのＰＣＩと、ＣＧＩが測定される必要があることを示す表示とを含む測定報告をネットワークに対して送信することができる。あらかじめ定義された遅延の後に、ネットワークは、ＣＧＩの測定を容易にするギャップをＷＴＲＵ３１０に割り付けるメッセージを送信する。ＷＴＲＵ３１０は、ＣＧＩを復号することができ、ＣＳＧが許容されたＣＳＧのそのリストの中に含まれないことを見出す。ＷＴＲＵ３１０は、ＰＣＩを含む測定報告を送信することができ、ＣＧＩが測定される必要があることを示すどのような表示も送信しない。ネットワークは、ＰＣＩが、許容されたＣＳＧセルに対応しないことを理解し、ＣＳＧセルに対するハンドオーバ手順を開始しない。
【００７５】
ネットワークが、ＣＳＧセルまたはハイブリッドセルの識別情報の測定のためにＷＴＲＵ３１０を支援するギャップを割り付けるときに、ギャップは、以下で説明されるように割り付けられることが可能である。
【００７６】
ギャップの単一または有限の数のインスタンスは、時間内にあらかじめ定義される。ギャップは、インスタンスのこの数を超えて反復されない。ギャップは、開始するシステムフレーム番号（ＳＦＮ）とサブフレーム番号に関連してサブフレーム間隔の観点で定義されることが可能である。複数の、ギャップのインスタンスが存在する場合には、インスタンスの間の時間間隔もまた、示され、またはあらかじめ定義される。
【００７７】
ギャップまたはギャップのシーケンスは、それらの間のあらかじめ定義され、または信号で伝えられた間隔を用いて定期的に起こる。それらのギャップは、以下のイベント：ＷＴＲＵ３１０は、測定報告を送信するというイベント、ＷＴＲＵ３１０は、ＣＳＧセルまたはハイブリッドセルの識別情報を有する測定報告を送信するというイベント、ＷＴＲＵ３１０は、ＣＳＧセルまたはハイブリッドセルの識別情報が、測定されることができない、または測定される必要がないことを示す測定報告を送信するというイベント（例えば、ＷＴＲＵ３１０が、ＣＳＧセルまたはハイブリッドセルに対するアクセス権を有することを期待しない場合）、ＷＴＲＵ３１０は、ＣＳＧセルまたはハイブリッドセルの信号強度が、しきい値より低いことを示す測定報告を送信するというイベント、ＷＴＲＵ３１０は、新しいセル（すなわち、ＣＳＧセルまたは他の任意のセル）に対してハンドオーバされるというイベント、ＷＴＲＵ３１０は、ギャップを割り付けるメッセージの受信のすぐ後に開始されるタイマが、満了するときに、ギャップが停止され、またはギャップが割り付けられることを示すネットワークから新しい測定制御または他のＲＲＣのメッセージを受信するというイベント、のうちの１つまたは組合せが起こるまで割り付けられる。タイマ持続期間は、このメッセージの中で示されていることが可能である。
【００７８】
ギャップ中においてＣＧＩを測定するＷＴＲＵの手順についての方法が、提供される。ＣＳＧの隣接セルの信号品質に基づいて、かなりの長さの時間が、マスター情報ブロック（ＭＩＢ）を、次いで隣接セルのＳＩＢ１を復号するために必要とされる可能性がある。この問題を緩和するために、以下の方法が、個別に、または組み合わせて可能である。
【００７９】
ＭＩＢおよびＳＩＢ１を読み取るために定義される複数のギャップが、存在する可能性がある。言い換えれば、ＷＴＲＵ３１０は、第１のギャップの中のＭＩＢを検出し復号するように、第２のギャップの中のＳＩＢ１を検出し復号するように、構成されていることが可能である。２つのギャップが、両方の動作が実行される場合の単一ギャップよりも個々に小さい可能性がある。これは、データ転送の中断を最小にする観点で有利である。
【００８０】
あるいは、ＭＩＢだけ、またはＳＩＢ１だけを読み取るために定義される複数のギャップが存在する可能性もある。ＷＴＲＵ３１０は、２つの異なるギャップから受信されるハイブリッド自動反復要求（ＨＡＲＱ）送信を結合することができる。これは、１つまたは複数のＨＡＲＱプロセスの予約を必要とする。ＨＡＲＱプロセスは、介在するデータ送信中に使用されなくてもよい。予約されたＨＡＲＱプロセスは、ギャップが構成される時にネットワークによって信号で伝えられることが可能である。あるいは、必要な場合には常に使用されるあらかじめ定義されたＨＡＲＱプロセスが存在することもある。いずれにしても、ＷＴＲＵ３１０は、第１のギャップ中に受信を開始したとき、対応するＨＡＲＱバッファをフラッシュする。
【００８１】
ＰＣＩの混乱を解決するネットワークベースの方法が、提供される。ＰＣＩを解決するネットワークベースの方法を可能にするために、ネットワークは、サービングセルの信号強度が良好でなく、ハンドオーバプロセスを遅延させることができないと認識した場合に、ＰＣＩの混乱を解決しようと判断することができる。ネットワークが、ＰＣＩの混乱を解決することができない場合、ネットワークは、隣接セルのＳＩを読み取るようにＷＴＲＵ３１０に要求することができ、またはネットワークは、隣接セルに対してＷＴＲＵ３１０を直接にハンドオーバすることができる。
【００８２】
ネットワークによって送信されるハンドオーバコマンドの中で、または他の任意のＲＲＣメッセージ（すなわち、測定制御など）の中で、ネットワークは、ＷＴＲＵ３１０が、ＣＳＧの隣接セルのＳＩを読み取ることができるかどうかを示すことができるＩＥを設定することができる。あるいは、ＩＥの存在は、ＷＴＲＵ３１０が、隣接セルのＳＩを読み取る必要があることを示す可能性があり、不在は、ＷＴＲＵ３１０がそれを読み取る必要がないことを示す可能性がある。
【００８３】
ＷＴＲＵ３１０が、ＣＳＧの隣接セルのＳＩを読み取る必要がある場合、ＷＴＲＵ３１０は、プロセスを開始することができ、ひとたびＷＴＲＵ３１０が、ＳＩを読み取ることを完了した後に、ＷＴＲＵ３１０は、ＳＩが獲得されているという測定報告または他の任意のＲＲＣメッセージを通してネットワークに通知することができる。ネットワークは、データを隣接セルに対して転送することなど、適切なアクションを取ることができる。
【００８４】
図１２は、セルのブロードキャストを受信し、隣接ＣＳＧセルを読み取るように構成されたＷＴＲＵ３１０のブロック図１２００の一例である。ＷＴＲＵ３１０は、アンテナ１２０５と、送信機１２１０と、受信機１２１５と、プロセッサ１２２０と、ユニバーサル加入者識別モジュール（ｕｎｉｖｅｒｓａｌ  ｓｕｂｓｃｒｉｂｅｒ  ｉｄｅｎｔｉｔｙ  ｍｏｄｕｌｅ）（ＵＳＩＭ）（またはＬＴＥの同等物）１２２５とを含む。受信機１２１５は、セルＩＤを含むセルからアンテナ１２０５を経由してブロードキャストを受信するように構成されている。プロセッサ１２２０は、送信機１２１０と、受信機１２１５と、ＵＳＩＭ（またはＬＴＥの同等物）１２２５とに電気的に結合される。プロセッサ１２２０は、ＣＳＧセルに対するインバウンドハンドオーバのために上記で説明された方法を実行するように構成されている。
【００８５】
特徴および要素が、特定の組合せの形で上記に説明されているが、おのおのの特徴または要素は、他の特徴および要素なしに単独で、または他の特徴および要素を伴って、またはそれらなしに様々な組合せの中で使用されることが可能である。本明細書の中で提供される方法またはフローチャートは、汎用コンピュータまたはプロセッサによる実行のためのコンピュータ読取り可能ストレージ媒体の中に組み込まれるコンピュータプログラム、ソフトウェア、またはファームウェアの形で実装されることが可能である。コンピュータ読取り可能ストレージ媒体の例は、ＲＯＭ（読取り専用メモリ）と、ＲＡＭ（ランダムアクセスメモリ）と、レジスタと、キャッシュメモリと、半導体メモリデバイスと、内部ハードディスクや着脱可能ディスクなどの磁気媒体と、磁気光学的媒体と、ＣＤ−ＲＯＭディスクやＤＶＤ（デジタル多用途ディスク）などの光媒体とを含む。
【００８６】
適切なプロセッサは、例として、汎用プロセッサ、専用プロセッサ、従来型のプロセッサ、ＤＳＰ（デジタル信号プロセッサ）、複数のマイクロプロセッサ、ＤＳＰコアと関連する１つまたは複数のマイクロプロセッサ、コントローラ、マイクロコントローラ、ＡＳＩＣ（特定用途向け集積回路）、ＡＳＳＰ（特定用途向け標準プロダクト）、ＦＰＧＡ（フィールドプログラマブルゲートアレイ）回路、他の任意のタイプのＩＣ（集積回路）、および／または状態機械を含む。
【００８７】
実施形態
実施形態１
無線送信／受信ユニット（ＷＴＲＵ）において実施される方法であって、
セルグローバル識別情報（ＣＧＩ）と物理セル識別情報（ＰＣＩ）とを含む、隣接限定加入者グループ（ＣＳＧ）セルの第１の組のシステム情報を読み取るステップ
を具えたことを特徴とする方法。
【００８８】
実施形態２
前記第１の組のシステム情報を記憶するステップと、
タイマを開始するステップと、
前記タイマが満了したことを条件に前記隣接ＣＳＧセルの第２の組のシステム情報を読み取るステップと
をさらに具えたことを特徴とする実施形態１記載の方法。
【００８９】
実施形態３
前記第２の組のシステム情報が、前記第１の組のシステム情報と同じであることを条件として、前記隣接ＣＳＧセルの前記ＣＧＩを識別するステップ
をさらに具えたことを特徴とする実施形態２記載の方法。
【００９０】
実施形態４
ＰＣＩの混乱が解決されていることを示すメッセージをネットワークに対して送信するステップ
をさらに具えたことを特徴とする実施形態１ないし３のいずれかに記載の方法。
【００９１】
実施形態５
前記メッセージは、前記隣接ＣＳＧセルのＰＣＩを含むことを特徴とする実施形態４記載の方法。
【００９２】
実施形態６
前記メッセージは、前記隣接ＣＳＧセルのＣＧＩを含むことを特徴とする実施形態４ないし５のいずれかに記載の方法。
【００９３】
実施形態７
前記隣接ＣＳＧセルからの信号のチャネル受信品質に基づいて前記第１の組のシステム情報と前記第２の組のシステム情報とを読み取るための必要とされるギャップ持続期間を自律的に判定するステップと、
前記必要とされるギャップ持続期間をネットワークに対して信号で伝えるステップと
をさらに具えたことを特徴とする実施形態１ないし６のいずれかに記載の方法。
【００９４】
実施形態８
現在のサービングセルの信号強度および信号品質は、あらかじめ定義されたしきい値と比較するために監視されることを特徴とする実施形態１ないし７のいずれかに記載の方法。
【００９５】
実施形態９
前記現在のサービングセルの前記の信号強度および信号品質が、前記あらかじめ定義されたしきい値より低い状態において、前記隣接ＣＳＧセルのシステム情報を読み取ることを特徴とする実施形態８記載の方法。
【００９６】
実施形態１０
セルグローバル識別情報（ＣＧＩ）と物理セル識別情報（ＰＣＩ）とを含む、隣接限定加入者グループ（ＣＳＧ）セルの第１の組のシステム情報を読み取るように構成されたプロセッサ
を具えたことを特徴とする無線送信／受信ユニット（ＷＴＲＵ）。
【００９７】
実施形態１１
前記タイマが満了したことを条件に前記第１の組のシステム情報を記憶するステップと、タイマを開始するステップと、前記隣接ＣＳＧセルの第２の組のシステム情報を読み取るステップと
をさらに具えたことを特徴とする実施形態１０記載の無線送信／受信ユニット（ＷＴＲＵ）。
【００９８】
実施形態１２
前記第２の組のシステム情報が、前記第１の組のシステム情報と同じであることを条件に前記隣接ＣＳＧセルの前記ＣＧＩを識別するステップ
をさらに具えたことを特徴とする実施形態１１記載の無線送信／受信ユニット（ＷＴＲＵ）。
【００９９】
実施形態１３
ＰＣＩの混乱が解決されていることを示すメッセージをネットワークに対して送信するように構成された送信機
をさらに具えたことを特徴とする実施形態１０ないし１２のいずれかに記載の無線送信／受信ユニット（ＷＴＲＵ）。
【０１００】
実施形態１４
前記メッセージは、前記隣接ＣＳＧセルのＰＣＩを含むことを特徴とする実施形態１３記載の無線送信／受信ユニット（ＷＴＲＵ）。
【０１０１】
実施形態１５
前記メッセージは、前記隣接ＣＳＧセルのＣＧＩを含むことを特徴とする実施形態１３ないし１４のいずれかに記載の無線送信／受信ユニット（ＷＴＲＵ）。
【０１０２】
実施形態１６
前記隣接ＣＳＧセルからの信号のチャネル受信品質に基づいて、前記第１の組のシステム情報と前記第２の組のシステム情報とを読み取るための必要とされるギャップ持続期間を自律的に判定するように構成された前記プロセッサと、
前記必要とされるギャップ持続期間をネットワークに対して信号で伝えるように構成された送信機と
をさらに具えたことを特徴とする実施形態１０ないし１５のいずれかに記載の無線送信／受信ユニット（ＷＴＲＵ）。
【０１０３】
実施形態１７
現在のサービングセルの信号強度および信号品質は、あらかじめ定義されたしきい値と比較するために監視されることを特徴とする実施形態１０ないし１６のいずれかに記載の無線送信／受信ユニット（ＷＴＲＵ）。
【０１０４】
実施形態１８
前記現在のサービングセルの前記の信号強度および信号品質が、前記あらかじめ定義されたしきい値より低い状態において、前記隣接ＣＳＧセルの前記システム情報を読み取ることを特徴とする実施形態１７記載の無線送信／受信ユニット（ＷＴＲＵ）。
【０１０５】
実施形態１９
無線送信／受信ユニット（ＷＴＲＵ）において実施される方法であって、
隣接限定加入者グループ（ＣＳＧ）セルの物理セル識別情報（ＰＣＩ）を読み取るステップ
を具えたことを特徴とする方法。
【０１０６】
実施形態２０
前記ＰＣＩが、あらかじめ定義されたハイブリッドセルの範囲に対応するかどうかを判定するステップ
をさらに具え、前記ＰＣＩが、前記あらかじめ定義されたハイブリッドセルの範囲に対応することを条件として、前記隣接ＣＳＧセルは、許容されたオープンセルの範囲の中にあることを特徴とする実施形態１９記載の方法。
【０１０７】
実施形態２１
前記ＰＣＩが前記隣接ＣＳＧセルによって使用されることを示す情報を、ネットワークに対して報告するステップ
をさらに具えたことを特徴とする実施形態１９ないし２０のいずれかに記載の方法。
【０１０８】
実施形態２２
前記ＰＣＩが、前記あらかじめ定義されたハイブリッドセルの範囲に対応しないことを条件として、前記隣接ＣＳＧセルは、限定セルの範囲の中にあることを特徴とする実施形態２０記載の方法。
【０１０９】
実施形態２３
前記隣接ＣＳＧセルが、限定セルの範囲の中にあることを条件として、前記ＰＣＩは、限定セルの範囲の中にあるＣＳＧセルによって高い確率で使用されることを示す情報をネットワークに対して報告することを特徴とする実施形態２０記載の方法。
【０１１０】
ソフトウェアに関連するプロセッサは、無線送信受信ユニット（ＷＴＲＵ）、ユーザ装置（ＵＥ）、端末、基地局、モビリティ管理エンティティ（ＭＭＥ）または拡張パケットコア（ＥＰＣ）、または任意のホストコンピュータの中で使用するための無線周波数トランシーバを実装するために使用されることが可能である。ＷＴＲＵは、ソフトウェアにより定義された無線（ＳＤＲ）と、カメラ、ビデオカメラモジュール、ビデオフォン、スピーカーフォン、振動デバイス、スピーカー、マイクロフォン、テレビジョントランシーバ、ハンズフリーヘッドセット、キーボード、ブルートゥース（Ｂｌｕｅｔｏｏｔｈ）（登録商標）モジュール、ＦＭ（周波数変調）無線ユニット、近接場通信（ＮＦＣ）モジュール、液晶ディスプレイ（ＬＣＤ）ディスプレイユニット、有機発光ダイオード（ＯＬＥＤ）ディスプレイユニット、デジタル音楽プレイヤー、メディアプレイヤー、ビデオゲームプレイヤーモジュール、インターネットブラウザ、および／または任意の無線ローカルエリアネットワーク（ＷＬＡＮ）もしくは超広帯域（ＵＷＢ）のモジュールなど、他のコンポーネントとを含めて、ハードウェアおよび／またはソフトウェアの形で実装されたモジュールと組み合わせて使用されることが可能である。
【図１】
2014003691.tif 000003
【図２】
2014003691.tif 000004
【図３】
2014003691.tif 000005
【図４】
2014003691.tif 000006
【図５】
2014003691.tif 000007
【図６】
2014003691.tif 000008
【図７】
2014003691.tif 000009
【図８】
2014003691.tif 000010
【図９】
2014003691.tif 000011
【図１０】
2014003691.tif 000012
【図１１】
2014003691.tif 000013
【図１２】
2014003691.tif 000014